【手続補正書】
【提出日】平成23年8月5日(2011.8.5)
【手続補正１】
【補正対象書類名】特許請求の範囲
【補正対象項目名】全文
【補正方法】変更
【補正の内容】
【特許請求の範囲】
【請求項１】
制御部と記憶部とを少なくとも備えたナビゲーションサーバ、および、位置発信装置から発信される位置情報信号を受信する位置取得部と制御部とを少なくとも備えた端末装置、を通信可能に接続したナビゲーションシステムであって、
上記ナビゲーションサーバの上記記憶部は、
少なくとも、通路に関するリンクおよび上記リンクに紐付けされたリンクである対リンクから構成された地図データを記憶する地図データ記憶手段を備え、
上記ナビゲーションサーバの上記制御部は、
上記端末装置から、上記端末装置の上記位置取得部にて受信した上記位置情報信号を受信し、当該位置情報信号に基づいて、上記端末装置の現在位置情報を取得する位置測位手段と、
上記現在位置情報の測位誤差範囲を示す測位誤差範囲情報を取得する測位誤差範囲取得手段と、
上記地図データ記憶手段に記憶された上記地図データから、上記現在位置情報に基づく現在位置を中心とした、上記測定誤差範囲情報の上記測定誤差範囲内の上記リンクを検索し、検索した少なくとも一つの上記リンクおよび当該リンクに紐付けされた上記対リンクを、現在位置修正候補として算出する修正候補算出手段と、
を備え、
上記端末装置の上記制御部は、
上記位置取得部にて受信した上記位置情報信号を上記ナビゲーションサーバに送信する位置情報信号送信手段、
を備えたことを特徴とする、ナビゲーションシステム。
【請求項２】
請求項１に記載のナビゲーションシステムにおいて、
上記修正候補算出手段は、
上記検索した上記リンク上で、上記現在位置から最短の地点を上記現在位置修正候補として算出することを特徴とする、ナビゲーションシステム。
【請求項３】
請求項１または２に記載のナビゲーションシステムにおいて、
上記端末装置は、表示部と入力部とを更に備え、
上記ナビゲーションサーバの上記制御部は、
上記現在位置修正候補に、上記端末装置の上記入力部に対応した選択用記号を付与して上記端末装置に送信する記号付与手段、
を更に備え、
上記端末装置の上記制御部は、
上記ナビゲーションサーバから、上記選択用記号が付与された上記現在位置修正候補を受信して、当該現在位置修正候補を表示した表示画面を上記表示部に表示させる修正候補表示手段と、
上記選択用記号が上記入力部を介して入力された場合に、当該選択用記号に対応する上記現在位置修正候補に基づいて上記現在位置情報を修正する現在位置設定手段と、
を更に備えたことを特徴とする、ナビゲーションシステム。
【請求項４】
請求項３に記載のナビゲーションシステムにおいて、
上記選択用記号は、上記入力部に対応した番号であり、
上記記号付与手段は、
上記現在位置から近い順に、上記入力部に対応した所定数の番号を上記選択用記号として上記現在位置修正候補に付与することを特徴とする、ナビゲーションシステム。
【請求項５】
請求項３に記載のナビゲーションシステムにおいて、
上記選択用記号は、上記入力部に対応した番号であり、
上記記号付与手段は、
上記現在位置から表示順に、上記入力部に対応した所定数の番号を上記選択用記号として上記現在位置修正候補に付与することを特徴とする、ナビゲーションシステム。
【請求項６】
請求項４または５に記載のナビゲーションシステムにおいて、
上記記号付与手段により上記選択用記号として付与される上記番号の上記所定数は、任意に設定可能な数であることを特徴とする、ナビゲーションシステム。
【請求項７】
請求項３から６のいずれか一つに記載のナビゲーションシステムにおいて、
上記現在位置設定手段は、
選択された上記選択用記号に対応する上記現在位置修正候補の上記リンク上で、上記現在位置情報の上記現在位置から最短地点を、新たな現在位置として当該現在位置情報を修正することを特徴とする、ナビゲーションシステム。
【請求項８】
ナビゲーションサーバに通信可能に接続された、位置発信装置から発信される位置情報信号を受信する位置取得部と、表示部と、入力部と、制御部と、を少なくとも備えた端末装置であって、
上記制御部は、
上記位置取得部にて受信した上記位置情報信号を上記ナビゲーションサーバに送信する位置情報信号送信手段、
を備え、
上記ナビゲーションサーバは、
上記端末装置から、上記位置情報信号を受信し、当該位置情報信号に基づいて、上記端末装置の現在位置情報を取得し、上記現在位置情報の測位誤差範囲を示す測位誤差範囲情報を取得し、通路に関するリンクおよび上記リンクに紐付けされたリンクである対リンクから構成された上記地図データから、上記現在位置情報に基づく現在位置を中心とした、上記測定誤差範囲情報の上記測定誤差範囲内の上記リンクを検索し、検索した少なくとも一つの上記リンクおよび当該リンクに紐付けされた上記対リンクを、現在位置修正候補として算出することを特徴とする、端末装置。
【請求項９】
位置発信装置から発信される位置情報信号を受信する位置取得部を少なくとも備えた端末装置に通信可能に接続された、制御部と記憶部とを少なくとも備えたナビゲーションサーバであって、
上記記憶部は、
少なくとも、通路に関するリンクおよび上記リンクに紐付けされたリンクである対リンクから構成された地図データを記憶する地図データ記憶手段を備え、
上記制御部は、
上記端末装置から、上記端末装置の上記位置取得部にて受信した上記位置情報信号を受信し、当該位置情報信号に基づいて、上記端末装置の現在位置情報を取得する位置測位手段と、
上記現在位置情報の測位誤差範囲を示す測位誤差範囲情報を取得する測位誤差範囲取得手段と、
上記地図データ記憶手段に記憶された上記地図データから、上記現在位置情報に基づく現在位置を中心とした、上記測定誤差範囲情報の上記測定誤差範囲内の上記リンクを検索し、検索した少なくとも一つの上記リンクおよび当該リンクに紐付けされた上記対リンクを、現在位置修正候補として算出する修正候補算出手段と、
を備えたことを特徴とする、ナビゲーションサーバ。
【請求項１０】
位置発信装置から発信される位置情報信号を受信する位置取得部と、制御部と、記憶部と、を少なくとも備えたナビゲーション装置であって、
上記記憶部は、
少なくとも、通路に関するリンクおよび上記リンクに紐付けされたリンクである対リンクから構成された地図データを記憶する地図データ記憶手段を備え、
上記制御部は、
上記位置取得部にて受信した上記位置情報信号に基づいて、現在位置情報を取得する位置測位手段と、
上記現在位置情報の測位誤差範囲を示す測位誤差範囲情報を取得する測位誤差範囲取得手段と、
上記地図データ記憶手段に記憶された上記地図データから、上記現在位置情報に基づく現在位置を中心とした、上記測定誤差範囲情報の上記測定誤差範囲内の上記リンクを検索し、検索した少なくとも一つの上記リンクおよび当該リンクに紐付けされた上記対リンクを、現在位置修正候補として算出する修正候補算出手段と、
を備えたことを特徴とする、ナビゲーション装置。
【請求項１１】
制御部と記憶部とを少なくとも備えたナビゲーションサーバ、および、位置発信装置から発信される位置情報信号を受信する位置取得部と制御部とを少なくとも備えた端末装置、を通信可能に接続したナビゲーションシステムにおいて実行されるナビゲーション方法であって、
上記ナビゲーションサーバの上記記憶部は、
少なくとも、通路に関するリンクおよび上記リンクに紐付けされたリンクである対リンクから構成された地図データを記憶する地図データ記憶手段を備え、
上記端末装置の上記制御部において実行される、
上記位置取得部にて受信した上記位置情報信号を上記ナビゲーションサーバに送信する位置情報信号送信ステップと、
上記ナビゲーションサーバの上記制御部において実行される、
上記端末装置から、上記端末装置の上記位置取得部にて受信した上記位置情報信号を受信し、当該位置情報信号に基づいて、上記端末装置の現在位置情報を取得する位置測位ステップと、
上記ナビゲーションサーバの上記制御部において実行される、
上記現在位置情報の測位誤差範囲を示す測位誤差範囲情報を取得する測位誤差範囲取得ステップと、
上記ナビゲーションサーバの上記制御部において実行される、
上記地図データ記憶手段に記憶された上記地図データから、上記現在位置情報に基づく現在位置を中心とした、上記測定誤差範囲情報の上記測定誤差範囲内の上記リンクを検索し、検索した少なくとも一つの上記リンクおよび当該リンクに紐付けされた上記対リンクを、現在位置修正候補として算出する修正候補算出ステップと、
を含むことを特徴とする、ナビゲーション方法。
【請求項１２】
ナビゲーションサーバに通信可能に接続された、位置発信装置から発信される位置情報信号を受信する位置取得部と、表示部と、入力部と、制御部と、を少なくとも備えた端末装置において実行されるナビゲーション方法であって、
上記制御部において実行される、
上記位置取得部にて受信した上記位置情報信号を上記ナビゲーションサーバに送信する位置情報信号送信ステップ、
を含み、
上記ナビゲーションサーバは、
上記端末装置から、上記位置情報信号を受信し、当該位置情報信号に基づいて、上記端末装置の現在位置情報を取得し、上記現在位置情報の測位誤差範囲を示す測位誤差範囲情報を取得し、通路に関するリンクおよび上記リンクに紐付けされたリンクである対リンクから構成された上記地図データから、上記現在位置情報に基づく現在位置を中心とした、上記測定誤差範囲情報の上記測定誤差範囲内の上記リンクを検索し、検索した少なくとも一つの上記リンクおよび当該リンクに紐付けされた上記対リンクを、現在位置修正候補として算出することを特徴とする、ナビゲーション方法。
【請求項１３】
位置発信装置から発信される位置情報信号を受信する位置取得部を少なくとも備えた端末装置に通信可能に接続された、制御部と記憶部とを少なくとも備えたナビゲーションサーバにおいて実行されるナビゲーション方法であって、
上記記憶部は、
少なくとも、通路に関するリンクおよび上記リンクに紐付けされたリンクである対リンクから構成された地図データを記憶する地図データ記憶手段を備え、
上記制御部において実行される、
上記端末装置から、上記端末装置の上記位置取得部にて受信した上記位置情報信号を受信し、当該位置情報信号に基づいて、上記端末装置の現在位置情報を取得する位置測位ステップと、
上記現在位置情報の測位誤差範囲を示す測位誤差範囲情報を取得する測位誤差範囲取得ステップと、
上記地図データ記憶手段に記憶された上記地図データから、上記現在位置情報に基づく現在位置を中心とした、上記測定誤差範囲情報の上記測定誤差範囲内の上記リンクを検索し、検索した少なくとも一つの上記リンクおよび当該リンクに紐付けされた上記対リンクを、現在位置修正候補として算出する修正候補算出ステップと、
を含むことを特徴とする、ナビゲーションサーバ。
【請求項１４】
位置発信装置から発信される位置情報信号を受信する位置取得部と、制御部と、記憶部と、を少なくとも備えたナビゲーション装置において実行されるナビゲーション方法であって、
上記記憶部は、
少なくとも、通路に関するリンクおよび上記リンクに紐付けされたリンクである対リンクから構成された地図データを記憶する地図データ記憶手段を備え、
上記制御部において実行される、
上記位置取得部にて受信した上記位置情報信号に基づいて、現在位置情報を取得する位置測位ステップと、
上記現在位置情報の測位誤差範囲を示す測位誤差範囲情報を取得する測位誤差範囲取得ステップと、
上記地図データ記憶手段に記憶された上記地図データから、上記現在位置情報に基づく現在位置を中心とした、上記測定誤差範囲情報の上記測定誤差範囲内の上記リンクを検索し、検索した少なくとも一つの上記リンクおよび当該リンクに紐付けされた上記対リンクを、現在位置修正候補として算出する修正候補算出ステップと、
を含むことを特徴とする、ナビゲーション方法。
【請求項１５】
ナビゲーションサーバに通信可能に接続された、位置発信装置から発信される位置情報信号を受信する位置取得部と、表示部と、入力部と、制御部と、を少なくとも備えた端末装置に実行させるためのプログラムであって、
上記制御部において、
上記位置取得部にて受信した上記位置情報信号を上記ナビゲーションサーバに送信する位置情報信号送信ステップ、
を実行させ、
上記ナビゲーションサーバにおいて、
上記端末装置から、上記位置情報信号を受信し、当該位置情報信号に基づいて、上記端末装置の現在位置情報を取得し、上記現在位置情報の測位誤差範囲を示す測位誤差範囲情報を取得し、通路に関するリンクおよび上記リンクに紐付けされたリンクである対リンクから構成された上記地図データから、上記現在位置情報に基づく現在位置を中心とした、上記測定誤差範囲情報の上記測定誤差範囲内の上記リンクを検索し、検索した少なくとも一つの上記リンクおよび当該リンクに紐付けされた上記対リンクを、現在位置修正候補として算出することを特徴とするプログラム。
【請求項１６】
位置発信装置から発信される位置情報信号を受信する位置取得部を少なくとも備えた端末装置に通信可能に接続された、制御部と記憶部とを少なくとも備えたナビゲーションサーバに実行させるためのプログラムであって、
上記記憶部は、
少なくとも、通路に関するリンクおよび上記リンクに紐付けされたリンクである対リンクから構成された地図データを記憶する地図データ記憶手段を備え、
上記制御部において、
上記端末装置から、上記端末装置の上記位置取得部にて受信した上記位置情報信号を受信し、当該位置情報信号に基づいて、上記端末装置の現在位置情報を取得する位置測位ステップと、
上記現在位置情報の測位誤差範囲を示す測位誤差範囲情報を取得する測位誤差範囲取得ステップと、
上記地図データ記憶手段に記憶された上記地図データから、上記現在位置情報に基づく現在位置を中心とした、上記測定誤差範囲情報の上記測定誤差範囲内の上記リンクを検索し、検索した少なくとも一つの上記リンクおよび当該リンクに紐付けされた上記対リンクを、現在位置修正候補として算出する修正候補算出ステップと、
を実行させるためのプログラム。
【請求項１７】
位置発信装置から発信される位置情報信号を受信する位置取得部と、制御部と、記憶部と、を少なくとも備えたナビゲーション装置に実行させるためのプログラムであって、
上記記憶部は、
少なくとも、通路に関するリンクおよび上記リンクに紐付けされたリンクである対リンクから構成された地図データを記憶する地図データ記憶手段を備え、
上記制御部において、
上記位置取得部にて受信した上記位置情報信号に基づいて、現在位置情報を取得する位置測位ステップと、
上記現在位置情報の測位誤差範囲を示す測位誤差範囲情報を取得する測位誤差範囲取得ステップと、
上記地図データ記憶手段に記憶された上記地図データから、上記現在位置情報に基づく現在位置を中心とした、上記測定誤差範囲情報の上記測定誤差範囲内の上記リンクを検索し、検索した少なくとも一つの上記リンクおよび当該リンクに紐付けされた上記対リンクを、現在位置修正候補として算出する修正候補算出ステップと、
を実行させるためのプログラム。
【手続補正２】
【補正対象書類名】明細書
【補正対象項目名】発明の名称
【補正方法】変更
【補正の内容】
【発明の名称】ナビゲーションシステム、端末装置、ナビゲーションサーバ、ナビゲーション装置、ナビゲーション方法、および、プログラム
【手続補正３】
【補正対象書類名】明細書
【補正対象項目名】０００１
【補正方法】変更
【補正の内容】
【０００１】
本発明は、ナビゲーションシステム、端末装置、ナビゲーションサーバ、ナビゲーション装置、ナビゲーション方法、および、プログラムに関する。